(57)【要約】【課題】広告用の幕状体など種々の幕状体を強固に、かつ簡単な操作で固定することができる幕状体固定具および幕状体の取付構造を提供する。【解決手段】幕状体固定具２は、ベース部１０の一端に設けた係合受部１４ｂに、カバー部２０の一端に設けた係合片２２を係合させて、カバー部２０をベース部１０に対し回動自在とした構成とされ、ベース部１０は、他端にボルト３の頭部３ａの少なくとも一部を収容できる収容部１５を備えている一方、カバー部２０は、他端にベース部１０に対し折曲した折曲片２３を有しており、カバー部２０がベース部１０に対し回動し、折り畳まれた際には、係合片２２と係合受部１４ｂとが幕状体１を挟着できるように係止するととともに、折曲片２３と収容部１５とにより、ボルト３の軸部３ｂを突出させる軸部用開口３１を有したボルト頭部収容部３０が形成される。【選択図】図１
2014006483.tif 000002
【特許請求の範囲】
【請求項１】
被取付体にボルトで固定されるベース部と、該ボルトの頭部を覆うカバー部とを組み合わせてなる幕状体固定具であって、
前記ベース部の一端に設けた係合受部に、前記カバー部の一端に設けた係合片を係合させて、該カバー部を前記ベース部に対し回動自在とした構成とされ、
前記ベース部は、他端に前記ボルトの頭部の少なくとも一部を収容できる収容部を備えている一方、前記カバー部は、他端に前記ベース部に対し折曲した折曲片を有しており、
前記カバー部が前記ベース部に対し回動し、折り畳まれた際には、前記係合片と前記係合受部とが幕状体を挟着できるように係止するととともに、前記折曲片と前記収容部とにより、前記ボルトの軸部を突出させる軸部用開口を有したボルト頭部収容部が形成されることを特徴とする幕状体固定具。
【請求項２】
請求項１において、
前記ボルト頭部収容部の軸部用開口は、前記ベース部と、前記カバー部の折曲片とにより形成され、前記ボルト頭部収容部に収容された前記ボルトの頭部が、軸部方向に抜け出ないようになっていることを特徴とする幕状体固定具。
【請求項３】
請求項１または２において、
前記ボルト頭部収容部には、前記ボルトの頭部をスライド挿入できる挿入開口が形成されていることを特徴とする幕状体固定具。
【請求項４】
請求項１〜３のいずれか１項において、
前記ボルトの頭部を前記ボルト頭部収容部に収容させた状態で、前記ボルトを前記被取付体にナット止めする構成となっていることを特徴とする幕状体固定具。
【請求項５】
被取付体にボルトで固定されるベース部と、該ボルトの頭部を覆うカバー部とを組み合わせてなる幕状体の取付構造であって、
前記ベース部の一端に設けた係合受部に、前記カバー部の一端に設けた係合片を係合させて、該カバー部を前記ベース部に対し回動自在とした構成とされ、
前記ベース部は、他端側に、前記ボルトの頭部の少なくとも一部を収容できる収容部を備えている一方、前記カバー部は、他端に前記ベース部に対し折曲した折曲片を有しており、
前記カバー部を前記ベース部に対し回動し、折り畳まれた際には、前記係合片と前記係合受部とが幕状体を挟着するととともに、前記折曲片と前記収容部とにより、前記ボルトの軸部を突出させる開口を有したボルト頭部収容部が形成され、
前記ボルトの頭部を前記ボルト頭部収容部に収容させた状態で、前記ボルトを前記被取付体にナット止めするようにしたことを特徴とする幕状体の取付構造。
【発明の詳細な説明】
【技術分野】
【０００１】
本発明は、幕状体を取付固定するための幕状体固定具および幕状体の取付構造に関する。
【背景技術】
【０００２】
従来、たとえば広告媒体物として用いられる幕状体は、その幕状体の対向する端縁部を固定具で固定し張設する方法が採られている（たとえば、特許文献１、２参照）。
【０００３】
特許文献１のものは、脚部を有した設置台に幕状体を上下で固定して掲示できるようになっている。設置台はカンバス様の形状であり、移動を容易に行える。特許文献２のものは、広告幕（幕状体）をファスナを用いて所定の広告装置に取り付けできるようになっている。
【先行技術文献】
【特許文献】
【０００４】
【特許文献１】特開２０１０−２２４２５４号公報
【特許文献２】特開平７−１５２３２５号公報
【発明の概要】
【発明が解決しようとする課題】
【０００５】
しかしながら、特許文献１、２のものは、設置台や広告装置を必要とするため、広告幕をたとえば窓や外壁等に貼り付けるように掲示する使用態様には不向きである。
【０００６】
また、広告幕のように室内外に設置する幕状体としては、既存天井や壁面に設置される膜天井用の天井シートも挙げられるが、そのような場合には当然に、上記特許文献に記載された取付構造を採用することはできず、美観が損なわれることのない目立たない固定具が必要とされる。
【０００７】
本発明は、このような事情を考慮して提案されたもので、その目的は、広告用の幕状体など種々の幕状体を強固に、かつ簡単な操作で固定することができる幕状体固定具および幕状体の取付構造を提供することにある。
【課題を解決するための手段】
【０００８】
上記目的を達成するために、請求項１に記載の幕状体固定具は、被取付体にボルトで固定されるベース部と、該ボルトの頭部を覆うカバー部とを組み合わせてなる幕状体固定具であって、ベース部の一端に設けた係合受部に、カバー部の一端に設けた係合片を係合させて、該カバー部を前記ベース部に対し回動自在とした構成とされ、ベース部は、他端にボルトの頭部の少なくとも一部を収容できる収容部を備えている一方、カバー部は、他端に前記ベース部に対し折曲した折曲片を有しており、カバー部がベース部に対し回動し、折り畳まれた際には、係合片と係合受部とが幕状体を挟着できるように係止するととともに、折曲片と収容部とにより、ボルトの軸部を突出させる軸部用開口を有したボルト頭部収容部が形成されることを特徴とする。
【０００９】
請求項２に記載の幕状体固定具は、ボルト頭部収容部の軸部用開口は、ベース部と、カバー部の折曲片とにより形成され、ボルト頭部収容部に収容されたボルトの頭部が、軸部方向に抜け出ないようになっていることを特徴とする。
請求項３に記載の幕状体固定具は、ボルト頭部収容部には、ボルトの頭部をスライド挿入できる挿入開口が形成されていることを特徴とする。
【００１０】
請求項４に記載の幕状体固定具は、ボルトの頭部をボルト頭部収容部に収容させた状態で、ボルトを被取付体にナット止めする構成となっていることを特徴とする。
【００１１】
請求項５に記載の幕状体の取付構造は、被取付体にボルトで固定されるベース部と、該ボルトの頭部を覆うカバー部とを組み合わせてなる幕状体の取付構造であって、ベース部の一端に設けた係合受部に、カバー部の一端に設けた係合片を係合させて、該カバー部を前記ベース部に対し回動自在とした構成とされ、ベース部は、他端側に、ボルトの頭部の少なくとも一部を収容できる収容部を備えている一方、カバー部は、他端にベース部に対し折曲した折曲片を有しており、カバー部をベース部に対し回動し、折り畳まれた際には、係合片と係合受部とが幕状体を挟着するととともに、折曲片と収容部とにより、ボルトの軸部を突出させる開口を有したボルト頭部収容部が形成され、ボルトの頭部をボルト頭部収容部に収容させた状態で、ボルトを被取付体にナット止めするようにしたことを特徴とする。
【発明の効果】
【００１２】
請求項１に記載の幕状体固定具は、上述した構成としているため、幕状体の対向する端縁部を一対の幕状体固定具で固定することができ、幕状体固定具と一体化した幕状体を、ボルトとナットを用いて簡単に被取付体に取り付けることができる。また、幕状体を挟着する構成であるため、幕状体の端縁部のほぼ全長を挟着できるような幕状体固定具を用いれば、幕状体を強固、均一に張設固定することができる。さらに、ボルトの頭部はボルト頭部収容部に収容される構成であるため、外部に露出されず、美観は損なわれない。
【００１３】
請求項２に記載の幕状体固定具によれば、ボルトの頭部がボルト頭部収容部の軸部用開口より軸部方向に抜け出ない構造となっているため、幕状体を被取付体に取り付けた後には、ボルトが幕状体固定具より外れるおそれはない。たとえば、折曲片を、その先端にボルト頭部収容部に頭部が収容されたボルトの軸部側に突出した足片を備えた構造とすることで、軸部用開口の開口幅をボルトが抜け出ない程度の寸法にすることができる。また、ボルトの頭部がボルト頭部収容部に収容された状態では、折曲片がボルトの頭部に係止された状態となるため、カバー部が開くことがない。
【００１４】
請求項３に記載の幕状体固定具によれば、ボルト頭部収容部にはボルトの頭部をスライド挿入できる挿入開口が形成されているので、幕状体をベース部と、カバー部とで挟着固定した後にボルトの頭部を幕状体固定具に挿入、装着することができる。
【００１５】
請求項４に記載の幕状体固定具によれば、ボルトの頭部を前記ボルト頭部収容部に収容させた状態で、前記ボルトを前記被取付体にナット止めする構成となっているので、あらかじめ幕状体とボルトとを幕状体固定具に取り付け一体化しておけば、現場での取付作業を迅速に行うことができる。
【００１６】
請求項５に記載の幕状体の取付構造によれば、幕状体の対向する端縁部を一対の幕状体固定具で固定することができ、幕状体固定具と一体化した幕状体を、ボルトとナットを用いて簡単に被取付体に取り付けることができる。また、幕状体を挟着する構成であるため、幕状体の端縁部のほぼ全長を挟着できるような幕状体固定具を用いれば、幕状体を強固、均一に張設固定することができる。さらに、ボルトの頭部はボルト頭部収容部に収容される構成であるため、外部に露出されず、美観は損なわれない。
【図面の簡単な説明】
【００１７】
【図１】本発明の一実施形態に係る幕状体固定具の説明図であり、（ａ）は幕状体固定具の構成一部材であるカバー部の部分斜視図、（ｂ）は同構成他部材であるベース部の部分斜視図、（ｃ）（ｄ）は幕状体固定具の動作を示す断面図である。
【図２】幕状体固定具による幕状体の取付構造の一例を示す縦断面図である。
【図３】幕状体固定具により幕状体を窓に取り付けた例を示す概略正面図である。
【図４】図３のＡ部の拡大分解斜視図である。
【図５】図３のＢ−Ｂ線における拡大横断面図である。
【発明を実施するための形態】
【００１８】
以下に、本発明の実施の形態について、添付図面を参照しながら説明する。
本実施形態で使用される幕状体固定具２は、たとえば図２に示すように、上下に配して、それらの間にたとえば広告用の幕状体１を張設する固定具である。
【００１９】
幕状体固定具２は、幕状体１の端縁部（辺縁部）を挟着固定する部材であり、幕状体１の幅寸法に合わせて長尺に形成されていることが望ましいが、端縁部を複数の幕状体固定具で固定できるように、短尺のものを用いてもよい。なお、本実施形態では押出成形で形成された長尺のものを例示する。
【００２０】
幕状体固定具２は、建築構造物等の被取付体５０にボルト３で固定されるベース部１０と、そのボルト３の頭部３ａを覆うカバー部２０とを組み合わせてなる。
【００２１】
ベース部１０は、図１（ｂ）に示すように、略平板状の基板部１１と、基板部１１の一方の端部近傍より基板部１１に対しほぼ垂直に起立した起立部１２と、起立部１２の上端より基板部１１にほぼ平行となるように外側に延びたカバー片部１３と、起立部１２のほぼ中央よりカバー片部１３とは反対の方向に延びた「へ」の字形の係合受片１４とを備えている。
【００２２】
係合受片１４は、基板部１１にほぼ平行に延び、途中で外側に突出した折曲部１４ａを備えた折曲板片よりなり、その折曲部１４ａよりも先端側には、カバー部２０と係合するための、円柱状の支軸部１４ｃを含む係合受部１４ｂが形成されている。
【００２３】
また、起立部１２と、カバー片部１３と、カバー片部１３が突出した方向と同方向にわずかに突出した基板部１１の側端突出部１１ａとにより形成された空間が、後述するボルト３の頭部３ａの一部を収容するための収容部１５を構成する。
【００２４】
カバー部２０は、図１（ａ）に示すように、平板部２１と、平板部２１の一方の側端部（図１（ａ）の図の左部）より湾曲状に折曲して延びた係合片２２と、平板部２１の他の側端部より階段状に折曲しながら、係合片２２と同じ側に延びた折曲片２３とを備えている。折曲片２３の下端には足片２３ａが形成されている。
【００２５】
係合片２２は、平板部２１との折曲部の内側に、ベース部１０の係合受部１４ｂの支軸部１４ｃを係合するための軸受け凹部２２ｂが形成され、係合片２２の本体部２２ａの先端部には、さらに内側に巻き込むように折曲された、平板部２１にほぼ平行な挟着片２２ｃが形成されている。
【００２６】
カバー部２０の係合片２２の軸受け凹部２２ｂと、ベース部１０の係合受部１４ｂの支軸部１４ｃとが係合することで、図２（ｃ）（ｄ）に示すように、カバー部２０はベース部１０に対し回動自在に取り付けられた状態となる。
【００２７】
カバー部２０が開いた状態（図２（ｃ）参照）では、係合片２２の本体部２２ａはベース部１０の基板部１１にほぼ平行な状態にあり、係合片２２と基板部１１との間には、幕状体１を挿入するのに十分な間隙Ｓが形成されている。
【００２８】
開いた状態にあるカバー部２０の折曲片２３をベース部１０側に回動させて畳み込むと（図２（ｄ）参照）、係合片２２の本体部２２ａがベース部１０の基板部１１に対して傾斜した状態となる一方、挟着片２２ｃが基板部１１に対して面接触（圧接）する状態となる。
【００２９】
このようなカバー部２０の開閉による間隙Ｓの消滅（縮小）と生成（拡大）の動作により、幕状体１の挟着による取り付けと、取り外しとができるようになっている。
【００３０】
図２（ｄ）に示すように、カバー部２０が折り畳まれると、幕状体１は、ベース部１０の係合受部１４ｂの支軸部１４ｃにヒンジ結合されたカバー部２０の係合片２２の挟着片２２ｃと、ベース部１０の基板部１１との間に挟着され、その挟着（圧接）によってカバー部２０は閉止する。つまり、この幕状体１の取付構造は、係合片２２と係合受部１４ｂとで、幕状体１を基板部１１に対して押圧した状態で固定する取付構造となっている。
【００３１】
また、カバー部２０が閉止した状態では、ベース部１０の係合受部１４ｂの折曲部１４ａから支軸部１４ｃまでの部位が、カバー部２０の係合片２２の裏側に密接する。このように、折曲部１４ａによって係合受部１４ｂ自体が補強されるだけでなく、カバー部２０が閉止した状態での係合片２２の強度も維持される。
【００３２】
カバー部２０が閉止すると、ベース部１０の基板部１１、係合受部１４ｂおよびカバー部２０の係合片２２で囲まれた空間は、幕状体１の出入口が塞がれて、幕状体固定具２の長手方向に連通する空洞部となる。この空洞部に幕状体１の端縁部側の余剰部位が収容される。
【００３３】
また、カバー部２０が閉止した状態では、ベース部１０の起立部１２と、ベース部１０のカバー片部１３と、カバー片部１３が突出した方向と同方向にわずかに突出した基板部１１の側端突出部１１ａと、カバー部２０の折曲片２３と、その下端に形成された足片２３ａのうちのベース部１０の基板部１１側に突出した部位とで囲まれた空間にボルト３の頭部３ａが収容されるようになっている。つまり、ベース部１０の収容部１５にカバー部２０が被さることでボルト頭部収容部３０が形成される。
【００３４】
このボルト頭部収容部３０の長手方向に沿った開口（軸部用開口３１）は、その開口幅がベース部１０の基板部１１の側端突出部１１ａと、カバー部２０の折曲片２３の足片２３ａとにより、ボルト頭部収容部３０の収容空間の幅寸法よりも小さくなっており、装着されたボルト３が軸方向に抜け出ないようになっている。
【００３５】
すなわち、カバー部２０がベース部１０に対し回動し、折り畳まれた際には、係合片２２と係合受部１４ｂとが幕状体１を挟着できるように係止するととともに、折曲片２３とベース部１０の収容部１５とにより、ボルト３の軸部３ｂを突出させる軸部用開口３１を有したボルト頭部収容部３０が形成される。
【００３６】
幕状体固定具２が以上のような構成となっているため、幕状体１の対向する端縁部を一対の幕状体固定具２で固定することができ、幕状体固定具２と一体化した幕状体１を、ボルト３とナット４を用いて簡単に被取付体５０に取り付けることができる。また、幕状体１を挟着する構成であるため、幕状体１の端縁部のほぼ全長を挟着できるような幕状体固定具２を用いれば、幕状体１を強固、均一に張設固定することができる。さらに、ボルト３の頭部３ａはボルト頭部収容部３０に収容される構成であるため、外部に露出されず、美観は損なわれない。
【００３７】
また、ボルト３の頭部３ａがボルト頭部収容部３０の軸部用開口３１より軸部方向に抜け出ない構造となっているため、幕状体１を被取付体５０に取り付けた後には、ボルト３が幕状体固定具２より外れるおそれはない。
【００３８】
上述したように、カバー部２０の折曲片２３が、ボルト頭部収容部３０に頭部３ａが収容されたボルト３の軸部３ｂ側に突出した足片２３ａを備えているため、軸部用開口３１の開口幅をボルト３が抜け出ない程度の寸法にすることができる。また、ボルト３の頭部３ａがボルト頭部収容部３０に収容された状態では、折曲片２３がボルト３の頭部３ａに係止された状態となるため、カバー部２０が開くことを阻止できる。
【００３９】
本実施形態で示した図例では、カバー部２０が折り畳まれてボルト頭部収容部３０が形成された後に、そのボルト頭部収容部３０にボルト３の頭部３ａを収容させる構成としているが、足片２３ａの基板部１１側への突出程度を加減するなどして、頭部３ａをベース部１０の収容部１５に収容させてからカバー部２０を折り畳めるような形状としてもよい。
【００４０】
本実施形態で示した図例では、ボルト３の頭部３ａは、ボルト頭部収容部３０の長手方向の端部側の開口（挿入開口３２）より挿入、装着される。なお、ボルト頭部収容部３０の頭部収容幅は、図例のように、ボルト３の頭部３ａが回り止めされる幅寸法とすることが望ましい。
【００４１】
このような幕状体固定具２、２を幕状体１の対向する両端縁部に取付固定し、両幕状体固定具２、２のそれぞれに複数のボルト３を装着しておき、図２のように、それぞれの幕状体固定具２、２を、ボルト頭部収容部３０に装着したボルト３と、ナット４とで被取付体５０に固定することで幕状体１を張設することができる。なお、図２中の５はワッシャーである。
ついで、幕状体１の具体的な取付構造について、図３〜図５を参照しながら説明する。
【００４２】
本図例は、広告用の幕状体１を窓６の外側に取り付けた場合の幕状体１の取付構造の例であり、図３は全体の概略正面図、図４は図３のＡ部の裏面（室内）側から見た拡大分解斜視図、図５は図３のＢ−Ｂ線における拡大横断面図（図５における上が室外、下が室内）である。
【００４３】
本図例の幕状体の取付構造は、４個のレール取付具４１、・・・で窓６（サッシ枠５１）に固定された２本のレール４２、４２を用いて、２つの幕状体固定具２、２を上下に配設して、それらの間に広告用の幕状体１を張設するものである。以下、取付手順および取付構造について説明する。
【００４４】
レール取付具４１は、全体が横断面視略Ｌ字状とされ、サッシ枠５１を挟着する挟着部４１ｂを先端に有した基板部４１ａと、その基板部４１ａの基部より横断面視で挟着部４１ｂと同方向に折曲延出し、横方向の固定位置を調整可能とした長孔４１ｄを有したレール固定部４１ｃとを備えた構造とされる。
【００４５】
このレール取付具４１は、窓６のサッシの前方（外）側の左右のサッシ枠５１の上下、計４箇所に、挟着部４１ｂを構成する２枚の板片間にサッシ枠５１を圧入するようにして、取り付けられる。なお、図５における６ａは窓６の引戸（窓ガラス）である。
【００４６】
レール４２は、ボルト４４の頭部４４ａを適宜位置に配せられる、レール４２の長手方向に沿って貫通された中空部４２ａと、レール４２の幅方向の一側端側が開口された溝部４２ｃとを備えた棒状体よりなる。中空部４２ａはレール４２の厚さ方向の一側端側が長手方向に沿って開口されており、その開口４２ｂより、中空部４２ａに頭部４４ａが挿入されたボルト４４の軸部４４ｂを突出させることができるようになっている。開口４２ｂの幅寸法はボルト４４の軸部４４ｂ径よりもやや大きく、頭部４４ａ径よりも十分に小さいため、ボルト４４は開口４２ｂより抜け出ることはない。なお、ボルト４４の頭部４４ａは、レール４２の長手方向の端部の開口より挿入される。
【００４７】
中空部４２ａに頭部４４ａが装着されたボルト４４の軸部４４ｂをレール取付具４１のレール固定部４１ｃの長孔４１ｄに挿通し、その長孔４１ｄから突出した軸部４４ｂをナット４５で螺合することで、レール４２がレール取付具４１に固定される。レール４２はその上下部が上下のレール取付具４１、４１に対して固定される。なお、図４中の４６はワッシャーである。
【００４８】
幕状体固定具２は、その左右の端部が、左右のレール４２、４２の溝部４２ｃに嵌入装着されて、ほぼ水平な状態で固定されるようになっている。なお、幕状体固定具２をレール４２、４２間に取り付けるために、レール４２、４２間の間隔をなるべく広くした状態で仮固定しておくことが望ましい。
【００４９】
幕状体固定具２は、その端部が底部４２ｅに接触あるいは近接するように溝部４２ｃに嵌入され、予めボルト頭部収容部３０に頭部３ａを収容させておいたボルト３を、その軸部３ｂが溝部４２ｃの室内側の壁部４２ｄの先端に接する位置に移動させ、その状態で室内側に向けて突出したボルト３の軸部３ａに、階段状に折曲され、ボルト挿通孔４３ａを有した押さえ具４３、ワッシャー５を介してナット４で螺合する。
【００５０】
なお、溝部４２ｃを構成する室内側の壁部４２ｄの外面には縦に走る小溝が形成されており、その小溝における、嵌入取付される幕状体固定具２の下端位置に相当する位置にビス４７をねじ込んで、溝部４２ｃの内側に突出したビス４７の軸部で幕状体固定具２の下方へのずれを防止できるようになっている。
【００５１】
このようにして、１本の幕状体固定具２は左右のレール４２、４２間に固定される。他の幕状体固定具２についても同様に左右のレール４２、４２間に固定される。
【００５２】
こうして、本図例の取付構造では、幕状体固定具２は、押さえ具４３、レール４２、レール取付具４１を介して窓６のサッシ枠５１に取り付けられ、それによって、２本の幕状体固定具２、２間に取り付けた幕状体１はサッシ枠５１（被取付体）に取付固定される。
【００５３】
このように、レール取付具４１、レール４２、押さえ具４３を用いれば、幕状体１を取り付けた幕状体固定具２、２を簡単にサッシ枠５１に固定することができる。
【００５４】
なお、幕状体固定具２は、ボルト３、ナット４を用いて、図２のように直接被取付体５０に固定するようにしてもよいし、図３〜図５の例のように、複数の部材を介して、被取付体（サッシ枠５１）に固定するようにしてもよい。
【符号の説明】
【００５５】
１        幕状体
２        幕状体固定具
３        ボルト
３ａ      頭部
３ｂ      軸部
４        ナット
１０      ベース部
１１      基板部
１１ａ    側端突出部
１２      起立部
１３      カバー片部
１４      係合受片
１４ａ    折曲部
１４ｂ    係合受部
１４ｃ    支軸部
１５      収容部
２０      カバー部
２１      平板部
２２      係合片
２２ａ    本体部
２２ｂ    軸受け凹部
２２ｃ    挟着片
２３      折曲片
２３ａ    足片
３０      ボルト頭部収容部
５０      被取付体
５１      サッシ枠（被取付体）
【図１】
2014006483.tif 000003
【図２】
2014006483.tif 000004
【図３】
2014006483.tif 000005
【図４】
2014006483.tif 000006
【図５】
2014006483.tif 000007